(57)【要約】【課題】  機能性物質の作用を広範囲に及ぼすのに適した構造の収納容器を提供する。【解決手段】  収納容器１は、被収納物を収納する容器であって、底面部１０、側面部２０及び上面部３０を備えている。これらの底面部１０、側面部２０及び上面部３０で囲まれた空間Ｓ１に被収納物が収納される。底面部１０は、中空部１２及び通気孔１４を有している。中空部１２には、機能性物質４０が収容されている。通気孔１４は、中空部１２と空間Ｓ１とを連通するものである。  【選択図】  図３
2016098001.tif 000002
【特許請求の範囲】
【請求項１】
底面部、側面部及び上面部を備え、当該底面部、側面部及び上面部で囲まれた空間に被収納物を収納する収納容器であって、
前記底面部は、機能性物質が収容される第１の中空部と、当該第１の中空部と前記空間とを連通する第１の通気孔とを有することを特徴とする収納容器。
【請求項２】
請求項１に記載の収納容器において、
前記第１の中空部は、前記底面部の全体にわたって設けられている収納容器。
【請求項３】
請求項１又は２に記載の収納容器において、
前記底面部は、複数の前記第１の通気孔を有する収納容器。
【請求項４】
請求項３に記載の収納容器において、
前記複数の第１の通気孔は、前記底面部における前記空間に面する領域の略全体にわたって設けられている収納容器。
【請求項５】
請求項１乃至４の何れかに記載の収納容器において、
前記底面部は、
前記第１の通気孔が形成された板状の第１の内側部材と、
前記第１の内側部材と所定の間隔を空けて設けられた板状の第１の外側部材と、を有し、
前記第１の内側部材と前記第１の外側部材とで挟まれた領域が前記第１の中空部を構成している収納容器。
【請求項６】
請求項１乃至５の何れかに記載の収納容器において、
前記側面部は、第２の中空部と、当該第２の中空部と前記空間とを連通する第２の通気孔とを有する収納容器。
【請求項７】
請求項６に記載の収納容器において、
前記第２の中空部は、前記第１の中空部に連通している収納容器。
【請求項８】
請求項６又は７に記載の収納容器において、
前記第２の中空部は、前記側面部の全体にわたって設けられている収納容器。
【請求項９】
請求項６乃至８の何れかに記載の収納容器において、
前記側面部は、複数の前記第２の通気孔を有する収納容器。
【請求項１０】
請求項９に記載の収納容器において、
前記複数の第２の通気孔は、前記側面部における前記空間に面する領域の略全体にわたって設けられている収納容器。
【請求項１１】
請求項６乃至１０の何れかに記載の収納容器において、
前記側面部は、
前記第２の通気孔が形成された板状の第２の内側部材と、
前記第２の内側部材と所定の間隔を空けて設けられた板状の第２の外側部材と、を有し、
前記第２の内側部材と前記第２の外側部材とで挟まれた領域が前記第２の中空部を構成している収納容器。
【請求項１２】
請求項６乃至１１の何れかに記載の収納容器において、
前記第２の通気孔の開口面積は、前記第１の通気孔の開口面積よりも大きい収納容器。
【請求項１３】
請求項６乃至１２の何れかに記載の収納容器において、
前記上面部は、第３の中空部と、当該第３の中空部と前記空間とを連通する第３の通気孔とを有する収納容器。
【請求項１４】
請求項１３に記載の収納容器において、
前記第３の中空部は、前記第２の中空部に連通している収納容器。
【請求項１５】
請求項１３又は１４に記載の収納容器において、
前記第３の中空部は、前記上面部の全体にわたって設けられている収納容器。
【請求項１６】
請求項１３乃至１５の何れかに記載の収納容器において、
前記上面部は、複数の前記第３の通気孔を有する収納容器。
【請求項１７】
請求項１６に記載の収納容器において、
前記複数の第３の通気孔は、前記上面部における前記空間に面する領域の略全体にわたって設けられている収納容器。
【請求項１８】
請求項１３乃至１７の何れかに記載の収納容器において、
前記上面部は、
前記第３の通気孔が形成された板状の第３の内側部材と、
前記第３の内側部材と所定の間隔を空けて設けられた板状の第３の外側部材と、を有し、
前記第３の内側部材と前記第３の外側部材とで挟まれた領域が前記第３の中空部を構成している収納容器。  
【請求項１９】
請求項１３乃至１８の何れかに記載の収納容器において、
前記第３の通気孔の開口面積は、前記第２の通気孔の開口面積よりも大きい収納容器。
【請求項２０】
請求項１３乃至１９の何れかに記載の収納容器において、
前記上面部は、当該収納容器の蓋部を構成する収納容器。
【請求項２１】
請求項１乃至２０の何れかに記載の収納容器において、
前記底面部には、前記第１の中空部における所定の領域に前記機能性物質を設置するための設置部が設けられている収納容器。
【請求項２２】
請求項２１に記載の収納容器において、
前記設置部は、前記底面部の略中央部に位置する収納容器。
【請求項２３】
請求項１乃至２２の何れかに記載の収納容器において、
前記底面部には、前記第１の中空部に対して前記機能性物質を出し入れするための出入口が設けられている収納容器。
【請求項２４】
請求項１乃至２３の何れかに記載の収納容器において、
前記機能性物質は、芳香剤である収納容器。
【発明の詳細な説明】
【技術分野】
【０００１】
本発明は、収納容器に関する。
【背景技術】
【０００２】
従来の収納容器としては、例えば特許文献１に記載されたものがある。同文献に記載された収納容器は、底面部及び側面部からなる本体部と、本体部を上方から覆う蓋部とを備えている。この収納容器は、衣類等の被収納物を収納するためのものである。
【先行技術文献】
【特許文献】
【０００３】
【特許文献１】特開２００４−７５０９０号公報
【発明の概要】
【発明が解決しようとする課題】
【０００４】
ところで、このような収納容器を用いて被収納物を保管する場合、保管中に、被収納物に不快な臭いが付着したり、カビが生えたりしてしまうことがある。かかる被収納物の劣化を抑制するための方策として、収納容器の底面部上に、芳香剤、消臭剤、除湿剤その他の機能性物質を置いておくことが考えられる。しかしながら、収納容器内においては、被収納物によって空気の流れが遮られるため、機能性物質の作用が遠くまで及びにくいという問題がある。
【０００５】
本発明は、上記課題に鑑みてなされたものであり、機能性物質の作用を広範囲に及ぼすのに適した構造の収納容器を提供することを目的とする。
【課題を解決するための手段】
【０００６】
本発明による収納容器は、底面部、側面部及び上面部を備え、当該底面部、側面部及び上面部で囲まれた空間に被収納物を収納する収納容器であって、上記底面部は、機能性物質が収容される第１の中空部と、当該第１の中空部と上記空間とを連通する第１の通気孔とを有することを特徴とする。
【０００７】
この収納容器においては、機能性物質を収容する第１の中空部が、底面部に設けられている。そして、第１の中空部は、第１の通気孔を介して、被収納物が収納される空間に連通している。かかる構造によれば、機能性物質の周囲の空気は、被収納物に遮られることなく、第１の中空部内を流れることができる。このため、第１の中空部及び第１の通気孔を通じて、上記空間内の広範囲に機能性物質の作用を及ぼすことができる。
【発明の効果】
【０００８】
本発明によれば、機能性物質の作用を広範囲に及ぼすのに適した構造の収納容器が実現される。
【図面の簡単な説明】
【０００９】
【図１】本発明による収納容器の一実施形態を示す斜視図である。
【図２】図１の収納容器において蓋部（上面部３０）が閉じた状態を示す斜視図である。
【図３】図２のIII−III線に沿った端面図である。
【図４】内側部材１０ａを示す平面図である。
【図５】図４のV−V線に沿った断面図である。
【図６】外側部材１０ｂを示す平面図である。
【図７】図６のVII−VII線に沿った断面図である。
【図８】図２のVIII−VIII線に沿った断面図である。
【図９】内側部材２０ａを構成する各面を示す正面図である。
【図１０】図１の収納容器の本体部（底面部１０及び側面部２０）を示す平面図である。
【図１１】内側部材３０ａを示す平面図である。
【図１２】図１の収納容器の効果を説明するための図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明による収納容器の一実施形態を示す斜視図である。収納容器１は、被収納物を収納する容器であって、底面部１０、側面部２０及び上面部３０を備えている。これらの底面部１０、側面部２０及び上面部３０で囲まれた空間Ｓ１に被収納物が収納される。被収納物としては、例えば、衣類、タオル類、書籍類、雑貨類等が挙げられる。
【００１２】
本実施形態において収納容器１は、蓋部を有する直方体状の容器である。収納容器１においては、底面部１０及び側面部２０が本体部を構成し、上面部３０が蓋部を構成している。すなわち、上面部３０は、本体部に対して開閉可能に設けられている。図２に示すように、上面部３０を閉じることにより、空間Ｓ１を密閉することができる。収納容器１の材料としては、例えば、プラスチック、木、又は段ボールを用いることができる。
【００１３】
図３は、図２のIII−III線に沿った端面図である。底面部１０は、中空部１２（第１の中空部）及び通気孔１４（第１の通気孔）を有している。詳細には、底面部１０は、内側部材１０ａ（第１の内側部材）及び外側部材１０ｂ（第１の外側部材）からなる二重構造をしている。内側部材１０ａ及び外側部材１０ｂは、板状の部材であり、所定の間隔を空けて設けられている。これらの内側部材１０ａ及び外側部材１０ｂで挟まれた領域が、中空部１２を構成している。中空部１２は、底面部１０の全体にわたって設けられている。中空部１２の幅ｗ１（内側部材１０ａと外側部材１０ｂとの間隔）は、例えば、２ｃｍ以上５ｃｍ以下である。
【００１４】
中空部１２には、機能性物質４０が収容されている。機能性物質４０は、空間Ｓ１内の空気又は被収納物に所定の作用を及ぼす物質である。機能性物質４０としては、例えば、芳香剤、消臭剤、除湿剤、防黴剤、殺虫剤等が挙げられる。本実施形態において機能性物質４０は、固形状をしている。
【００１５】
図４は、内側部材１０ａを示す平面図である。また、図５は、図４のV−V線に沿った断面図である。内側部材１０ａには、複数の通気孔１４が形成されている。これらの通気孔１４は、図４からわかるように、底面部１０における空間Ｓ１に面する領域（内側部材１０ａ）の略全体にわたって設けられている。通気孔１４は、中空部１２と空間Ｓ１とを連通するものである。本実施形態において各通気孔１４は、平面視で円形をしている。通気孔１４の径（直径）は、例えば、５ｍｍ以上１ｃｍ以下とされる。
【００１６】
内側部材１０ａには、出入口１６が設けられている。出入口１６は、中空部１２に対して機能性物質４０を出し入れするためのものである。出入口１６は、開閉可能である。詳細には、出入口１６は、開口部１６２及びカバー部１６４からなっている。図４に示すように、カバー部１６４を閉じることにより、開口部１６２を塞ぐことができる。他方、図５に示すように、カバー部１６４を開けることにより、開口部１６２を通じて機能性物質４０を出し入れすることができる。カバー部１６４には、当該カバー部１６４を開ける際に指をかけるための切欠部１６４ａが形成されている。出入口１６は、内側部材１０ａ（底面部１０）の略中央部に位置している。
【００１７】
図６は、外側部材１０ｂを示す平面図である。また、図７は、図６のVII−VII線に沿った断面図である。外側部材１０ｂには、設置部１８が設けられている。設置部１８は、中空部１２における所定の領域に機能性物質４０を設置するためのものである。具体的には、図７からわかるように、外側部材１０ｂの上面（中空部１２側の面）の一部に凹部が形成されており、この凹部が設置部１８を構成している。設置部１８は、外側部材１０ｂ（底面部１０）の略中央部に位置している。それゆえ、設置部１８は、平面視で、上述の出入口１６と重なるように設けられている。
【００１８】
図３に戻って、側面部２０は、中空部２２（第２の中空部）及び通気孔２４（第２の通気孔）を有している。詳細には、側面部２０は、内側部材２０ａ（第２の内側部材）及び外側部材２０ｂ（第２の外側部材）からなる二重構造をしている。内側部材２０ａ及び外側部材２０ｂは、板状の部材であり、所定の間隔を空けて設けられている。これらの内側部材２０ａ及び外側部材２０ｂで挟まれた領域が、中空部２２を構成している。中空部２２は、側面部２０の全体にわたって設けられている。中空部２２の幅ｗ２（内側部材２０ａと外側部材２０ｂとの間隔）は、例えば、２ｃｍ以上５ｃｍ以下である。
【００１９】
内側部材２０ａは、底面部１０の内側部材１０ａに連設されている。同様に、外側部材２０ｂは、外側部材１０ｂに連設されている。これにより、中空部２２は、上述の中空部１２に連通している。具体的には、中空部１２と中空部２２とは、連続した領域として設けられている。
【００２０】
図８は、図２のVIII−VIII線に沿った断面図である。内側部材２０ａ及び外側部材２０ｂは何れも、平面視で矩形をしている。すなわち、内側部材２０ａ及び外側部材２０ｂは何れも、４つの面（図８における上下左右の面）から構成されている。これにより、中空部２２も、平面視で矩形の領域として設けられている。
【００２１】
図９は、内側部材２０ａを構成する各面を示す正面図である。内側部材２０ａには、複数の通気孔２４が形成されている。これらの通気孔２４は、図９からわかるように、側面部２０における空間Ｓ１に面する領域（内側部材２０ａ）の略全体にわたって設けられている。通気孔２４は、中空部２２と空間Ｓ１とを連通するものである。本実施形態において各通気孔２４は、平面視で円形をしている。通気孔２４の開口面積は、通気孔１４の開口面積よりも大きい。通気孔２４の径（直径）は、例えば、１ｃｍ以上１．５ｃｍ以下とされる。
【００２２】
図１０は、収納容器１の本体部（底面部１０及び側面部２０）を示す平面図である。同図からわかるように、側面部２０は、内側部材２０ａと外側部材２０ｂとを連結する水平部２０ｃを有している。すなわち、内側部材２０ａ及び外側部材２０ｂは、それらの上端において、水平部２０ｃを介して互いに連結されている。水平部２０ｃには、連通孔２７が形成されている。本実施形態において連通孔２７は、平面視で、内側部材２０ａ及び外側部材２０ｂに沿って延在するスリット状をしている。かかるスリット状の連通孔２７は、内側部材２０ａ（外側部材２０ｂ）の４つの面のそれぞれに沿って設けられている。連通孔２７は、中空部２２と後述する中空部３２とを連通するためのものである。
【００２３】
図３に戻って、上面部３０は、中空部３２（第３の中空部）及び通気孔３４（第３の通気孔）を有している。詳細には、上面部３０は、内側部材３０ａ（第３の内側部材）及び外側部材３０ｂ（第３の外側部材）からなる二重構造をしている。内側部材３０ａ及び外側部材３０ｂは、板状の部材であり、所定の間隔を空けて設けられている。これらの内側部材３０ａ及び外側部材３０ｂで挟まれた領域が、中空部３２を構成している。中空部３２は、上面部３０の全体にわたって設けられている。中空部３２の幅ｗ３（内側部材３０ａと外側部材３０ｂとの間隔）は、例えば、２ｃｍ以上５ｃｍ以下である。
【００２４】
図１１は、内側部材３０ａを示す平面図である。内側部材３０ａには、複数の通気孔３４が形成されている。これらの通気孔３４は、図１１からわかるように、上面部３０における空間Ｓ１に面する領域（内側部材３０ａのうち点線Ｌ１の内側の部分）の略全体にわたって設けられている。通気孔３４は、中空部３２と空間Ｓ１とを連通するものである。本実施形態において各通気孔３４は、平面視で円形をしている。通気孔３４の開口面積は、通気孔２４の開口面積よりも大きい。通気孔３４の径（直径）は、例えば、１．５ｃｍ以上２ｃｍ以下とされる。
【００２５】
内側部材３０ａの周縁部（点線Ｌ１の外側の部分）には、連通孔３７が形成されている。この周縁部は、側面部２０の水平部２０ｃに接する部分である。連通孔３７は、上述の連通孔２７と同一の形状及び大きさのスリット状をしている。また、蓋部（上面部３０）を閉じた状態において、連通孔３７は、平面視で連通孔２７と重なる位置に設けられている。かかる連通孔３７は、連通孔２７と共に、中空部２２と中空部３２とを連通する。すなわち、中空部３２は、連通孔２７及び連通孔３７を介して、中空部２２に連通している。
【００２６】
収納容器１の効果を説明する。収納容器１においては、機能性物質４０を収容する中空部１２が、底面部１０に設けられている。そして、中空部１２は、通気孔１４を介して、被収納物が収納される空間Ｓ１に連通している。かかる構造によれば、機能性物質４０の周囲の空気は、被収納物に遮られることなく、中空部１２内を流れることができる。このため、中空部１２及び通気孔１４を通じて、空間Ｓ１内の広範囲に機能性物質４０の作用を及ぼすことができる。
【００２７】
これに対し、従来の収納容器において底面部上に機能性物質を置いた場合、機能性物質の周囲の空気の流れが被収納物によって遮られるため、機能性物質の作用が遠くまで及びにくい。そればかりか、被収納物の一部が機能性物質に直接触れることにより、当該部分に機能性物質の作用が過大に及んでしまう。例えば、機能性物質が芳香剤である場合、衣類等の被収納物の一部に過剰に強い香りが付いてしまうことが考えられる。この点、収納容器１において機能性物質４０は、被収納物が収納される空間Ｓ１とは別の空間（中空部１２）に収容されるため、被収納物に直接触れることがない。このため、被収納物の一部に機能性物質の作用が過大に及ぶという問題を回避することができる。
【００２８】
中空部１２は、底面部１０の全体にわたって設けられている。これにより、機能性物質４０の周囲の空気は、被収納物に遮られることなく、底面部１０の全体に行き渡ることができる。このため、かかる構成は、機能性物質４０の作用を広範囲に及ぼすのに適している。
【００２９】
底面部１０は、複数の通気孔１４を有している。これにより、複数の通気孔１４を通じて、空間Ｓ１内に機能性物質４０の作用を及ぼすことができる。このため、通気孔１４が１つしかない場合に比して、空間Ｓ１内の広範囲に機能性物質４０の作用を及ぼすことができる。
【００３０】
複数の通気孔１４は、底面部１０における空間Ｓ１に面する領域の略全体にわたって設けられている。これにより、当該領域の略全体を通じて、空間Ｓ１内に機能性物質４０の作用を及ぼすことができる。このため、より広範囲に機能性物質４０の作用を及ぼすことができる。
【００３１】
底面部１０は、所定の間隔を空けて設けられた内側部材１０ａ及び外側部材１０ｂからなる二重構造を有している。これにより、簡易な構成で、中空部１２を有する底面部１０を実現することができる。
【００３２】
底面部１０には、出入口１６が設けられている。これにより、中空部１２への機能性物質４０の出し入れを容易に行うことができる。
【００３３】
底面部１０には、設置部１８が設けられている。これにより、中空部１２における所定の領域に機能性物質４０を容易に設置することができる。特に設置部１８は、底面部１０の略中央部に位置している。これにより、機能性物質４０を底面部１０の略中央部に設置することができる。このように機能性物質４０を底面部１０の略中央部に設置することは、機能性物質４０の作用を空間Ｓ１内の広範囲にバランスよく及ぼすのに適している。
【００３４】
側面部２０には、中空部２２及び通気孔２４が設けられている。そして、中空部２２は、中空部１２に連通するように設けられている。これにより、機能性物質４０の周囲の空気は、中空部１２のみならず中空部２２まで拡がることができる。このため、中空部２２及び通気孔２４を通じても、空間Ｓ１内に機能性物質４０の作用を及ぼすことができる。すなわち、収納容器１においては、底面部１０及び側面部２０の双方から空間Ｓ１内に機能性物質４０の作用を及ぼすことができる。
【００３５】
中空部２２は、側面部２０の全体にわたって設けられている。これにより、機能性物質４０の周囲の空気は、被収納物に遮られることなく、側面部２０の全体に行き渡ることができる。このため、かかる構成は、機能性物質４０の作用を広範囲に及ぼすのに適している。
【００３６】
側面部２０は、複数の通気孔２４を有している。これにより、複数の通気孔２４を通じて、空間Ｓ１内に機能性物質４０の作用を及ぼすことができる。このため、通気孔２４が１つしかない場合に比して、空間Ｓ１内の広範囲に機能性物質４０の作用を及ぼすことができる。
【００３７】
複数の通気孔２４は、側面部２０における空間Ｓ１に面する領域の略全体にわたって設けられている。これにより、当該領域の略全体を通じて、空間Ｓ１内に機能性物質４０の作用を及ぼすことができる。このため、より広範囲に機能性物質４０の作用を及ぼすことができる。
【００３８】
側面部２０は、所定の間隔を空けて設けられた内側部材２０ａ及び外側部材２０ｂからなる二重構造を有している。これにより、簡易な構成で、中空部２２を有する側面部２０を実現することができる。
【００３９】
通気孔２４の開口面積は、通気孔１４の開口面積よりも大きい。このように機能性物質４０に比較的近い位置にある通気孔１４の開口面積を相対的に小さくすることにより、底面部１０から空間Ｓ１内に及ぶ機能性物質４０の作用が強くなりすぎるのを防ぐことができる。他方、機能性物質４０に比較的遠い位置にある通気孔２４の開口面積を相対的に大きくすることにより、側面部２０から空間Ｓ１内に及ぶ機能性物質４０の作用が弱くなりすぎるのを防ぐことができる。
【００４０】
上面部３０には、中空部３２及び通気孔３４が設けられている。そして、中空部３２は、中空部２２に連通するように設けられている。これにより、機能性物質４０の周囲の空気は、中空部１２及び中空部２２のみならず中空部３２まで拡がることができる。このため、中空部３２及び通気孔３４を通じても、空間Ｓ１内に機能性物質４０の作用を及ぼすことができる。すなわち、収納容器１においては、底面部１０、側面部２０及び上面部３０の全てから空間Ｓ１内に機能性物質４０の作用を及ぼすことができる。したがって、収納容器１は、空間Ｓ１内の広範囲に機能性物質４０の作用を万遍なく及ぼすのに適している。
【００４１】
例えば、機能性物質４０が芳香剤である場合、図１２に矢印で示すように、空間Ｓ１の周囲の全面から芳香作用が及ぶため、衣類等の被収納物に対して万遍なく香りを付けることができる。なお、同図は、収納容器１における図３と同様の端面を示している。
【００４２】
中空部３２は、上面部３０の全体にわたって設けられている。これにより、機能性物質４０の周囲の空気は、被収納物に遮られることなく、上面部３０の全体に行き渡ることができる。このため、かかる構成は、機能性物質４０の作用を広範囲に及ぼすのに適している。
【００４３】
上面部３０は、複数の通気孔３４を有している。これにより、複数の通気孔３４を通じて、空間Ｓ１内に機能性物質４０の作用を及ぼすことができる。このため、通気孔３４が１つしかない場合に比して、空間Ｓ１内の広範囲に機能性物質４０の作用を及ぼすことができる。
【００４４】
複数の通気孔３４は、上面部３０における空間Ｓ１に面する領域の略全体にわたって設けられている。これにより、当該領域の略全体を通じて、空間Ｓ１内に機能性物質４０の作用を及ぼすことができる。このため、より広範囲に機能性物質４０の作用を及ぼすことができる。
【００４５】
上面部３０は、所定の間隔を空けて設けられた内側部材３０ａ及び外側部材３０ｂからなる二重構造を有している。これにより、簡易な構成で、中空部３２を有する上面部３０を実現することができる。
【００４６】
通気孔３４の開口面積は、通気孔２４の開口面積よりも大きい。このように機能性物質４０に比較的近い位置にある通気孔２４の開口面積を相対的に小さくすることにより、側面部２０から空間Ｓ１内に及ぶ機能性物質４０の作用が強くなりすぎるのを防ぐことができる。他方、機能性物質４０に比較的遠い位置にある通気孔３４の開口面積を相対的に大きくすることにより、上面部３０から空間Ｓ１内に及ぶ機能性物質４０の作用が弱くなりすぎるのを防ぐことができる。
【００４７】
上面部３０は、収納容器１の蓋部を構成している。このように蓋部が設けられていることにより、空間Ｓ１の密閉性を高めることができる。空間Ｓ１の密閉性を高めることにより、収納容器１の外部にまで機能性物質４０の作用が及んでしまうのを抑制することができる。
【００４８】
本発明による収納容器は、上記実施形態に限定されるものではなく、様々な変形が可能である。上記実施形態においては、平面視で円形の通気孔１４を例示した。しかし、通気孔１４の形状は任意であり、例えば、平面視で矩形又はスリット状であってもよい。また、内側部材１０ａを網状にすることにより、通気孔１４を形成してもよい。すなわち、この場合、内側部材１０ａの網目が通気孔１４に相当する。通気孔２４，３４についても、同様である。
【００４９】
上記実施形態においては、通気孔１４が底面部１０における空間Ｓ１に面する領域の略全体にわたって設けられた例を示した。しかし、通気孔１４は、当該領域に部分的に設けられていてもよい。通気孔２４，３４についても、同様である。
【００５０】
上記実施形態においては、中空部１２が底面部１０の全体にわたって設けられた例を示した。しかし、中空部１２は、底面部１０の一部にのみ設けられていてもよい。中空部２２，３２についても、同様である。
【００５１】
上記実施形態においては、中空部３２が中空部２２に連通している例を示した。しかし、中空部３２は、中空部２２に連通していなくてもよい。その場合、中空部３２にも、機能性物質が設置されることが好ましい。
【００５２】
上記実施形態においては、通気孔３４の開口面積が通気孔２４の開口面積よりも大きい例を示した。しかし、通気孔３４の開口面積は、通気孔２４の開口面積より小さくてもよいし、通気孔２４の開口面積に等しくてもよい。
【００５３】
上記実施形態においては、上面部３０に、中空部３２及び通気孔３４が設けられた例を示した。しかし、上面部３０に中空部３２及び通気孔３４を設けることは、必須でない。
【００５４】
上記実施形態においては、中空部２２が中空部１２に連通している例を示した。しかし、中空部２２は、中空部１２に連通していなくてもよい。その場合、中空部２２にも、機能性物質が設置されることが好ましい。
【００５５】
上記実施形態においては、通気孔２４の開口面積が通気孔１４の開口面積よりも大きい例を示した。しかし、通気孔２４の開口面積は、通気孔１４の開口面積より小さくてもよいし、通気孔１４の開口面積に等しくてもよい。
【００５６】
上記実施形態においては、側面部２０に、中空部２２及び通気孔２４が設けられた例を示した。しかし、側面部２０に中空部２２及び通気孔２４を設けることは、必須でない。
【００５７】
上記実施形態においては、直方体状の収納容器１を例示した。しかし、収納容器１の形状は任意であり、例えば円柱状であってもよい。すなわち、側面部は、平面視で円形をしていてもよい。
【符号の説明】
【００５８】
１  収納容器
１０  底面部
１０ａ  内側部材（第１の内側部材）
１０ｂ  外側部材（第１の外側部材）
１２  中空部（第１の中空部）
１４  通気孔（第１の通気孔）
１６  出入口
１６２  開口部
１６４  カバー部
１６４ａ  切欠部
１８  設置部
２０  側面部
２０ａ  内側部材（第２の内側部材）
２０ｂ  外側部材（第２の外側部材）
２２  中空部（第２の中空部）
２４  通気孔（第２の通気孔）
２７  連通孔
３０  上面部
３０ａ  内側部材（第３の内側部材）
３０ｂ  外側部材（第３の外側部材）
３２  中空部（第３の中空部）
３４  通気孔（第３の通気孔）
３７  連通孔
４０  機能性物質
【図１】
2016098001.tif 000003
【図２】
2016098001.tif 000004
【図３】
2016098001.tif 000005
【図４】
2016098001.tif 000006
【図５】
2016098001.tif 000007
【図６】
2016098001.tif 000008
【図７】
2016098001.tif 000009
【図８】
2016098001.tif 000010
【図９】
2016098001.tif 000011
【図１０】
2016098001.tif 000012
【図１１】
2016098001.tif 000013
【図１２】
2016098001.tif 000014